(57)【要約】【課題】先端を大径化させることなく観察対象部位と前方とを観察することのできるプローブを提供する。【解決手段】プローブ７は、先端に配設されて管腔Ｋ内を撮像可能な撮像カメラ７５と、撮像カメラ７５よりも基端側に配設されて照射光の照射及び放射光の受光を行う光学系と、を備え、生体内の管腔Ｋへ挿入されて照射光を生体組織の観察対象部位へ照射するとともに、この照射光に起因して観察対象部位から放射される放射光を検出する。撮像カメラ７５は、レンズ７５１がプローブ７の前方と側方とを向くように回動可能に構成されている。【選択図】図５
2012050487.tif 000002
【特許請求の範囲】
【請求項１】
生体内の管腔へ挿入されて照射光を生体組織の観察対象部位へ照射するとともに、この照射光に起因して前記観察対象部位から放射される放射光を検出する長尺なプローブにおいて、
先端に配設されて管腔内を撮像可能な撮像装置と、当該撮像装置よりも基端側に配設されて前記照射光の照射及び前記放射光の受光を行う光学系と、を備え、
前記撮像装置は、レンズが当該プローブの前方と側方とを向くように回動可能に構成されていることを特徴とするプローブ。
【請求項２】
前記撮像装置は、前記光学系との間を短縮可能に構成されていることを特徴とする請求項１に記載のプローブ。
【請求項３】
前記光学系は、当該プローブの側方へ向けて前記照射光を照射し、
前記撮像装置は、前記レンズが当該プローブの側方を向いたときに、前記照射光が照射される前記観察対象部位が撮像範囲内に含まれるように構成されていることを特徴とする請求項１又は２に記載のプローブ。
【請求項４】
前記撮像装置に一端が連結されるとともに当該プローブの基端まで配設されたワイヤを備え、
前記撮像装置は、前記ワイヤの牽引操作によって回動可能に構成されていることを特徴とする請求項１〜３の何れか一項に記載のプローブ。
【請求項５】
前記レンズが当該プローブの前方を向いた状態となるように前記撮像装置を付勢する付勢部材を備え、
前記ワイヤは、２本配設されるとともに、前記撮像装置の回動中心を挟んで当該撮像装置の両側にそれぞれの一端が連結され、
前記撮像装置は、
前記付勢部材の付勢力に抗して一方の前記ワイヤを牽引することにより、前記レンズが当該プローブの前方から側方を向く方向へ回動し、
一方の前記ワイヤを解放して他方の前記ワイヤを牽引することにより、前記レンズが当該プローブの側方から前方を向く方向へ回動することを特徴とする請求項４に記載のプローブ。
【請求項６】
前記ワイヤを牽引することにより、前記光学系と前記撮像装置との間を短縮可能に構成されていることを特徴とする請求項４又は５に記載のプローブ。
【請求項７】
前記光学系と前記撮像装置との間に、屈曲可能な屈曲部を有することを特徴とする請求項１〜６の何れか一項に記載のプローブ。
【請求項８】
前記屈曲部は、当該プローブの長手方向へ伸縮可能に構成されていることを特徴とする請求項７に記載のプローブ。
【請求項９】
前記光学系の近傍に、当該プローブの先端部を前記管腔の内壁に固定するための固定手段が設けられていることを特徴とする請求項１〜８の何れか一項に記載のプローブ。
【請求項１０】
前記固定手段は、膨縮可能なバルーンであることを特徴とする請求項９に記載のプローブ。
【発明の詳細な説明】
【技術分野】
【０００１】
本発明は、プローブに関する。
【背景技術】
【０００２】
従来、生体組織の観察対象部位へ励起光などの照射光を照射し、この照射光によって生体組織から発生する蛍光（自家蛍光）などの放射光を検出するプローブが開発されており、生体組織の変性や癌等の疾患状態（例えば、疾患の種類や浸潤範囲）の診断に用いられている。このようなプローブは、一般に、側方へ向けて照射光を照射するように構成されたものが多く、先端に備えられた側視型のカメラ（撮像装置）によって観察対象部位を撮像できるようになっている。また、このプローブは、自家蛍光を検出するものに限らず、共焦点内視鏡やＯＣＴ（Optical Coherence Tomograph：光干渉断層計）など、様々な方式のものが提案されている。
【０００３】
ところで、この種のプローブは生体内の管腔へ挿入されて使用されるため、その挿入操作を容易に行えるように、上述のような側方の観察に加えて前方（挿入方向）の観察も行えることが望ましい。特に、鼻孔を通じて食道に挿入される経鼻タイプのプローブでは、経口タイプのものに比べて挿入管腔が細いため、前方を観察できる構成がより強く望まれている。
【０００４】
そこで、側視型のカメラとは別に、レンズを前方へ向けたカメラを先端に複数備え、観察対象部位とともに前方をも観察可能なように構成したプローブが提案されている（例えば、特許文献１参照）。
【先行技術文献】
【特許文献】
【０００５】
【特許文献１】特開２０００−３２５３０６号公報
【発明の概要】
【発明が解決しようとする課題】
【０００６】
しかしながら、上記特許文献１に記載のプローブでは、複数のカメラを搭載することにより先端が大径化するため、管腔挿入時における被験者の負担を増大させてしまう。特に、より細くしなやかな構成が求められる経鼻タイプのプローブとしては、このような大径化は殊更好ましくない。
【０００７】
本発明は、上記事情を鑑みてなされたものであり、先端を大径化させることなく観察対象部位と前方とを観察することのできるプローブの提供を課題とする。
【課題を解決するための手段】
【０００８】
前記の課題を解決するために、請求項１に記載の発明は、生体内の管腔へ挿入されて照射光を生体組織の観察対象部位へ照射するとともに、この照射光に起因して前記観察対象部位から放射される放射光を検出する長尺なプローブにおいて、
先端に配設されて管腔内を撮像可能な撮像装置と、当該撮像装置よりも基端側に配設されて前記照射光の照射及び前記放射光の受光を行う光学系と、を備え、
前記撮像装置は、レンズが当該プローブの前方と側方とを向くように回動可能に構成されていることを特徴とする。
【０００９】
請求項２に記載の発明は、請求項１に記載のプローブにおいて、
前記撮像装置は、前記光学系との間を短縮可能に構成されていることを特徴とする。
【００１０】
請求項３に記載の発明は、請求項１又は２に記載のプローブにおいて、
前記光学系は、当該プローブの側方へ向けて前記照射光を照射し、
前記撮像装置は、前記レンズが当該プローブの側方を向いたときに、前記照射光が照射される前記観察対象部位が撮像範囲内に含まれるように構成されていることを特徴とする。
【００１１】
請求項４に記載の発明は、請求項１〜３の何れか一項に記載のプローブにおいて、
前記撮像装置に一端が連結されるとともに当該プローブの基端まで配設されたワイヤを備え、
前記撮像装置は、前記ワイヤの牽引操作によって回動可能に構成されていることを特徴とする。
【００１２】
請求項５に記載の発明は、請求項４に記載のプローブにおいて、
前記レンズが当該プローブの前方を向いた状態となるように前記撮像装置を付勢する付勢部材を備え、
前記ワイヤは、２本配設されるとともに、前記撮像装置の回動中心を挟んで当該撮像装置の両側にそれぞれの一端が連結され、
前記撮像装置は、
前記付勢部材の付勢力に抗して一方の前記ワイヤを牽引することにより、前記レンズが当該プローブの前方から側方を向く方向へ回動し、
一方の前記ワイヤを解放して他方の前記ワイヤを牽引することにより、前記レンズが当該プローブの側方から前方を向く方向へ回動することを特徴とする。
【００１３】
請求項６に記載の発明は、請求項４又は５に記載のプローブにおいて、
前記ワイヤを牽引することにより、前記光学系と前記撮像装置との間を短縮可能に構成されていることを特徴とする。
【００１４】
請求項７に記載の発明は、請求項１〜６の何れか一項に記載のプローブにおいて、
前記光学系と前記撮像装置との間に、屈曲可能な屈曲部を有することを特徴とする。
【００１５】
請求項８に記載の発明は、請求項７に記載のプローブにおいて、
前記屈曲部は、当該プローブの長手方向へ伸縮可能に構成されていることを特徴とする。
【００１６】
請求項９に記載の発明は、請求項１〜８の何れか一項に記載のプローブにおいて、
前記光学系の近傍に、当該プローブの先端部を前記管腔の内壁に固定するための固定手段が設けられていることを特徴とする。
【００１７】
請求項１０に記載の発明は、請求項９に記載のプローブにおいて、
前記固定手段は、膨縮可能なバルーンであることを特徴とする。
【発明の効果】
【００１８】
請求項１に記載の発明によれば、プローブの先端に配設されて管腔内を撮像可能な撮像装置が、そのレンズをプローブの前方と側方とに向けられるように回動可能に構成されているので、レンズを側方へ向けて観察対象部位を観察（撮像）することができるとともに、管腔へのプローブ挿入時にはレンズを前方へ向けて挿入方向を観察することができる。したがって、複数のカメラを搭載する必要なく観察対象部位と前方とを観察することができ、ひいては、先端を大径化させることなく観察対象部位と前方とを観察することができる。
【００１９】
請求項３に記載の発明によれば、照射光が照射される観察対象部位が撮像装置の撮像範囲内に含まれるので、撮像装置による観察対象部位の観察をより確実に行うことができる。
【００２０】
請求項６に記載の発明によれば、ワイヤを牽引することにより光学系と撮像装置との間を短縮させることができるので、観察対象部位を撮像装置の撮像範囲内に収めることができる。
【００２１】
請求項７に記載の発明によれば、光学系と撮像装置とが収容される部位は何れも屈曲困難な硬質部位であるところ、光学系と撮像装置との間に屈曲可能な屈曲部が設けられているので、屈曲困難な長さを短くすることができ、ひいては、管腔へのプローブの挿入を円滑に行えるようにして被験者の負担を軽減することができる。
【００２２】
請求項８に記載の発明によれば、屈曲部がプローブの長手方向へ伸縮可能に構成されているので、管腔へのプローブの挿入時には屈曲部を伸長させた状態として挿入操作を容易なものとしつつ、放射光の検出時には屈曲部を短縮させた状態として観察対象部位を撮像装置の撮像範囲内に収めることができる。
【図面の簡単な説明】
【００２３】
【図１】診断装置の全体構成を示す概念図である。
【図２】実施形態におけるプローブの先端部の外観図である。
【図３】実施形態におけるプローブの先端部の断面図である。
【図４】撮像カメラの回動構造を説明するための図である。
【図５】（ａ）管腔に挿入する際のプローブの状態を説明するための図であり、（ｂ）照射光の照射及び放射光の検出を行う際のプローブの状態を説明するための図である。
【図６】屈曲したプローブの外観図である。
【図７】伸縮可能な屈曲部を有するプローブの先端部の断面図である。
【図８】膨縮可能なバルーンを備えたプローブの外観図である。
【発明を実施するための形態】
【００２４】
以下、本発明の実施形態について、図を参照して説明する。
図１は、本発明に係るプローブを適用した診断装置１の全体構成を示す概念図である。
【００２５】
この図に示すように、診断装置１は、光源２と、分光器３と、スペクトル解析装置４と、コントローラ６と、プローブ７とを備えており、体内の管腔Ｋに挿入させたプローブ７からの光学情報を解析して管腔Ｋにおける生体組織の変性や癌等の疾患状態（例えば、疾患の種類や浸潤範囲）の診断を行うための装置である。なお、管腔Ｋは、食道や大腸の他、管状の体内器官である。
【００２６】
光源２は、キセノン光などの照射光（ここでは励起光）を発生させるものであり、波長選択フィルタを介してプローブ７に連結されている。
【００２７】
分光器３は、プローブ７に設けられた後述の受光用光ファイバ７２ｂによって検出された放射光（本実施形態では蛍光）から幾つかの波長の強度を測定し（以下、「分光測定」という）、測定結果を電子情報（分光スペクトル信号）として出力するものである。なお、蛍光とは、広義には、Ｘ線、紫外線、あるいは、可視光線が照射された被照射物において、そのエネルギーを吸収することによって電子が励起され、励起された電子が基底状態に戻る際に放出される電磁波を指す。ここでは、励起光によってその波長とは異なる波長の蛍光が被測定部位から放射されるので、この放射光を検出し、受光用光ファイバ７２ｂを介してベースユニットの分光器３へと導光しスペクトル分析することで検出対象の疾患状態を診断する。
【００２８】
スペクトル解析装置４は、分光器３から出力される分光スペクトル信号を解析して分光スペクトルグラフのイメージデータに変換し、疾患状態の診断を行うものである。なお、スペクトル解析装置４により生成される分光スペクトルグラフのイメージデータや診断結果は、モニタを備えた画像処理装置４０に表示されるようになっている。また、この画像処理装置４０のモニタには、プローブ７に設けられた後述の撮像カメラ７５での撮影画像も表示されるようになっている。
【００２９】
コントローラ６は、プローブ７に接続されて当該プローブ７の各部の動作を制御可能となっている。
【００３０】
図２はプローブ７の先端部の外観図であり、図３はプローブ７の先端部の断面図である。
これらの図に示すように、プローブ７は、屈曲可能なチューブ７０と、チューブ７０の先端に連結された略円筒状のユニットフレーム７１とから構成されており、外径が６ｍｍ程度の長尺な円筒状に形成されている。
【００３１】
チューブ７０は、トルクコイルをシース（何れも図示せず）で被覆した構成となっている。このチューブ７０は、当該チューブ７０の基端部でトルクコイルと接続された図示しない回動アクチュエータにより周方向に回動可能となっている。また、チューブ７０内には、ユニットフレーム７１の基端部に先端が固定された照射用光ファイバ７２ａ及び受光用光ファイバ７２ｂが配設されている。これら照射用光ファイバ７２ａ及び受光用光ファイバ７２ｂは、チューブ７０の基端部で光源２及び分光器３と接続されている。
【００３２】
ユニットフレーム７１には、集光レンズ７３と、ミラー７４と、撮像カメラ７５とが、長手方向Ｘに沿って基端側からこの順に並ぶように収容されている。
このうち、集光レンズ７３及びミラー７４は、管腔Ｋ内への励起光の照射及び蛍光の受光を行う光学系を構成している。また、ユニットフレーム７１のうちミラー７４を覆う部分は、透明部材からなる透光部７１１となっている。このような構成により、この光学系は、照射用光ファイバ７２ａから出射された励起光を集光レンズ７３で集光させ、ミラー７４で側方（長手方向Ｘと直交する方向）へ反射させて透光部７１１を通じて管腔Ｋ内の生体組織へ照射する一方、この励起光に起因して生体組織が発する蛍光（自家蛍光）を透光部７１１を通じてミラー７４で長手方向Ｘへ反射させ、集光レンズ７３で受光用光ファイバ７２ｂの受光面に集光させるようになっている。
【００３３】
一方、撮像カメラ７５は、管腔Ｋ内を撮像するためのものであり、ユニットフレーム７１の先端に配設された透明部材からなる撮像部７１２内に収容されている。この撮像カメラ７５は、前面のレンズ７５１がプローブ７の前方と側方とを向くように回動可能に構成されている。なお、レンズ７５１が向けられるプローブ７の側方とは、本実施形態においては、光学系による照射光の照射方向、つまりミラー７４の反射方向と一致する方向となっている。但し、これらの方向は一致していなくともよく、撮像カメラ７５がレンズ７５１をプローブ７の側方へ向けたときに、光学系から照射光が照射される観察対象部位が当該撮像カメラ７５の撮像範囲内に含まれるように構成されていればよい。
【００３４】
ここで、撮像カメラ７５の回動構造について、主に図４（ａ），（ｂ）を参照して説明する。
図４（ａ），（ｂ）は撮像カメラ７５の回動構造を説明するための図であり、このうち図４（ａ）はレンズ７５１がプローブ７の前方を向いた状態（以下、前方撮像状態という）を示す図であり、図４（ｂ）はレンズ７５１がプローブ７の側方（図の下方）を向いた状態（以下、側方撮像状態という）を示す図である。なお、以下の説明では、撮像カメラ７５が回動する方向をレンズ７５１が前方から下方（図の下方）へ向く方向として図面に対応させて説明する。
【００３５】
図４（ａ），（ｂ）に示すように、撮像カメラ７５は、略円板状に形成されるとともにその両側面に立設された回動軸７５２，７５２を有している。この回動軸７５２は、撮像部７１２内面に形成された図示しないガイド溝に嵌合されており、撮像カメラ７５が前後に移動可能であるとともに当該回動軸７５２を中心に回動可能なように、当該ガイド溝に支持されている。また、撮像カメラ７５は、周面の上部，下部及び後部に形成された突起部７５３ａ〜７５３ｃを有している。これら３つの突起部７５３ａ〜７５３ｃは、回動軸７５２に直交する同一平面内に形成されるとともに当該平面内でそれぞれ円弧状に形成されており、後述するように、撮像カメラ７５の回動に伴って、撮像部７１２内面の上下に長手方向Ｘに沿って形成された案内溝７１２ａ，７１２ｂ（図３参照）と個別に係脱するようになっている。
【００３６】
また、撮像カメラ７５には、前方撮像状態において回動軸７５２を挟んで当該撮像カメラ７５の上側と下側とに２本のワイヤ７６ａ，７６ｂの一端が連結されている。このワイヤ７６ａ，７６ｂは、撮像部７１２の後部壁７１２ｃに形成された孔部７１２ｄ，７１２ｄに挿通されてプローブ７内を基端まで敷設されており、プローブ７の基端で個別に牽引できるようになっている。ここで、下側のワイヤ７６ｂが挿通された孔部７１２ｄの周囲には、後述するように、側方撮像状態において下部の突起部７５３ｃが嵌合する凹部７１２ｅが形成されている。
【００３７】
また、撮像カメラ７５には、常態で前方撮像状態となるように当該撮像カメラ７５を付勢するための付勢部材７７が係止されている。この付勢部材７７は、棒状の弾性部材を屈曲させたものであり、具体的には、基端が撮像部７１２内周の下面に固定されて上方へ立設され、中ほどの長さの箇所にはプローブ７の後方へ向かって９０度未満の角度で屈曲された第１屈曲部７７ａを有し、先端には第１屈曲部７７ａと同方向へ屈曲された第２屈曲部７７ｂを有している。これら第１屈曲部７７ａ及び第２屈曲部７７ｂは、回動軸７５２の外径に対応した曲率で屈曲されており、撮像カメラ７５が前方撮像状態のときに回動軸７５２が第１屈曲部７７ａに係止され、側方撮像状態のときに回動軸７５２が第２屈曲部７７ｂに係止されるように構成されている。
【００３８】
以上の回動構造を具備する撮像カメラ７５は、図４（ａ）に示すように、ワイヤ７６ａ，７６ｂが牽引されない状態では、付勢部材７７のうち第１屈曲部７７ａよりも先端側の付勢力によってプローブ７の前方へ移動するように付勢され、回動軸７５２が第１屈曲部７７ａに係止した状態、つまりレンズ７５１が前方を向いた前方撮像状態となっている。このとき、撮像カメラ７５の上下の突起部７５３ａ，７５３ｂが撮像部７１２の上下の案内溝７１２ａ，７１２ｂと係合し、それぞれ案内溝７１２ａ，７１２ｂの前端に当接している（図５（ａ）参照）。
【００３９】
この前方撮像状態において、プローブ７の基端で付勢部材７７の付勢力に抗して下側のワイヤ７６ｂを牽引すると、撮像カメラ７５は、回動軸７５２がガイド溝に案内されて後方へ移動しつつ、レンズ７５１が下方を向く方向へ回動軸７５２を中心に回動する。そして、図４（ｂ）に示すように、回動軸７５２が付勢部材７７の第２屈曲部７７ａに係止した状態、つまりレンズ７５１が下方（プローブ７の側方）を向いた側方撮像状態となる。このとき、撮像カメラ７５の上部の突起部７５３ａに代わって後部の突起部７５３ｃが撮像部７１２の上部の案内溝７１２ａに係合するとともに、下部の突起部７５３ｃが下部の案内溝７１２ｂから外れて後部壁７１２ｃの凹部７１２ｅに嵌合する（図５（ｂ）参照）。なお、図４（ｂ）では、形状の説明のために、突起部７５３ｃが凹部７１２ｅに嵌合していない状態を示している。
また、この側方撮像状態において、下側のワイヤ７６ｂを解放して上側のワイヤ７６ａを牽引すると、撮像カメラ７５は、付勢部材７７の付勢力により前方へ移動しつつ、ワイヤ７６ａの牽引によりレンズ７５１が前方を向く方向へ回動軸７５２を中心に回動する結果、上述の前方撮像状態に復帰する。なお、ここでは、まず下側のワイヤ７６ｂを解放して前方へ押し込むことで撮像カメラ７５を前方へ移動させ、それから撮像カメラ７５が前後に移動しない程度に上側のワイヤ７６ａを牽引することで、撮像カメラ７５を回動させてもよい。
【００４０】
なお、撮像カメラ７５は、図示しない照明装置を前面に有しており、管腔Ｋへのプローブ７の挿入時や観察対象部位を撮像するときにはこの照明装置で撮像範囲を照明する。この照明装置は励起光の照射及び蛍光の検出を行うときには消灯するが、蛍光検出の妨げにならないのであれば消灯しなくともよい。また、撮像カメラ７５は、チューブ７０内に収容された図示しない伝送ケーブルを介して画像処理装置４０と接続されている。
【００４１】
また、ユニットフレーム７１のうち、透光部７１１と撮像部７１２との間の円筒部分は、屈曲可能な屈曲部７１３となっている。この屈曲部７１３は、光学系と撮像カメラ７５との間であってユニットフレーム７１の長手方向Ｘの略中間位置に形成されている。このような屈曲部７１３を設けることにより、ユニットフレーム７１のうち屈曲困難な長さを短くできるため、管腔Ｋへのプローブ７の挿入を円滑に行えるようにして被験者の負担を軽減することができる。
【００４２】
続いて、診断装置１による診断手順について説明する。
図５（ａ）は、管腔Ｋに挿入する際のプローブ７の状態を説明するための図であり、図５（ｂ）は、照射光の照射及び放射光の検出を行う際のプローブ７の状態を説明するための図である。
【００４３】
まず、図５（ａ）に示すように、プローブ７を鼻孔又は口を通じて手動で管腔Ｋ（例えば食道）に挿入する。この際には、撮像カメラ７５を前方撮像状態とし、プローブ７前方の管腔Ｋ内を観察できるようにして、診断者によるプローブ７の挿入操作が容易に行えるようにする。このとき、チューブ７０や屈曲部７１３が屈曲可能であるため、図６に示すように、プローブ７は管腔Ｋの形状に倣って自在に屈曲しつつ当該管腔Ｋ内を進行する。
【００４４】
プローブ７の先端部が所定の診断部位まで到達すると、図５（ｂ）に示すように、下部のワイヤ７６ｂを牽引して撮像カメラ７５を側方撮像状態に変更する。そして、必要に応じてコントローラ６により回動アクチュエータを駆動してプローブ７を回動させ、ミラー７４からの励起光が生体組織の観察対象部位に向けて照射可能なように回動位置を調整する。
【００４５】
次に、光源２の励起光を照射用光ファイバ７２ａから出射させる。出射された励起光は集光レンズ７３で集光され、ミラー７４で側方へ反射されて、透光部７１１を透過して生体組織の観察対象部位へ照射される。すると、この励起光に起因して生体組織が発する蛍光が透光部７１１を透過して取り込まれ、ミラー７４で長手方向Ｘへ反射され、集光レンズ７３で集光されて受光用光ファイバ７２ｂに検出される。検出された蛍光は分光器３によって分光測定され、その測定結果として分光スペクトル信号が出力される。そして、この分光スペクトル信号がスペクトル解析装置４によって解析されて、疾患状態の診断が行われる。
【００４６】
このとき、撮像カメラ７５のレンズ７５１が側方へ向けられているので、観察対象部位をレンズ７５１正面に捉えて観察することができる。なお、本実施形態のプローブ７においては、屈曲部７１３を介して撮像カメラ７５と光学系とが離間しており、蛍光検出時には撮像カメラ７５の撮像範囲内に観察対象部位が収まらないため、蛍光検出時での観察対象部位を観察することはできない。但し、撮像カメラ７５の撮像中心と照射光の照射位置との長手方向Ｘの距離は既知であるため、プローブ７の長手方向Ｘへの移動量を調整することにより、蛍光検出時とは異なるタイミングとなるものの、観察対象部位を観察することができる。
【００４７】
次に、コントローラ６により回動アクチュエータを駆動してプローブ７を回動させ、周状の複数の測定点に対して上記同様の診断を実行する。
次に、撮像カメラ７５を前方撮像状態に戻してから次の観察対象部位までプローブ７の先端部を移動させ、上記同様の操作を繰り返す。そして、全ての観察対象部位の診断を終了させた後、プローブ７を管腔Ｋから取り出す。
【００４８】
以上の診断装置１におけるプローブ７によれば、当該プローブ７の先端に配設されて管腔Ｋ内を撮像可能な撮像カメラ７５が、そのレンズ７５１をプローブ７の前方と側方とに向けられるように回動可能に構成されているので、レンズ７５１を側方へ向けて観察対象部位を観察（撮像）することができるとともに、管腔Ｋへのプローブ７挿入時にはレンズ７５１を前方へ向けて挿入方向を観察することができる。これにより、複数のカメラを搭載する必要なく観察対象部位と前方とを観察することができ、ひいては、先端を大径化させることなく観察対象部位と前方とを観察することができる。したがって、被験者の負担を増大させることなく挿入操作を容易に行うことができる。
【００４９】
また、照射光が照射される観察対象部位が撮像カメラ７５の撮像範囲内に含まれるので、撮像カメラ７５による観察対象部位の観察をより確実に行うことができる。
【００５０】
また、ユニットフレーム７１のうち光学系と撮像カメラ７５とが収容される部位は何れも屈曲困難な硬質部位であるところ、これら光学系と撮像カメラ７５との間に屈曲可能な屈曲部７１３が設けられているので、屈曲困難な長さを短くすることができ、ひいては、管腔Ｋへのプローブ７の挿入を円滑に行えるようにして被験者の負担を軽減することができる。
【００５１】
なお、本発明を適用可能な実施形態は、上述した実施形態に限定されることなく、本発明の趣旨を逸脱しない範囲で適宜変更可能である。
【００５２】
例えば、図７に示すように、屈曲部７１３を長手方向Ｘへ伸縮可能に構成してもよい。この場合には、屈曲部７１３を伸縮可能な素材で形成するか、或いは蛇腹状に伸縮可能な構造とすればよい。このように屈曲部７１３を伸縮可能とすることにより、管腔Ｋへのプローブ７の挿入時には屈曲部７１３を伸長させた状態として挿入操作を容易なものとしつつ、放射光の検出時には屈曲部７１３を短縮させた状態として観察対象部位を撮像カメラ７５の撮像範囲内に収めることができる。ここで、屈曲部７１３を短縮させるには、ワイヤ７６ｂを牽引して撮像カメラ７５を側方撮像状態とした後、更にワイヤ７６ｂを牽引することにより、撮像カメラ７５を介して撮像部７１２を基端側へ引けばよい。また、屈曲部７１３が短縮した状態においてプローブ７を基端側へ引き戻すことにより、付勢部材７７の付勢力（回復力）によって、屈曲部７１３は伸長状態へ復帰する。
なお、上記の効果を得るためには、屈曲部７１３が伸縮可能な構成に限定されず、撮像カメラ７５が光学系との間を短縮可能なように、つまり、撮像カメラ７５が光学系に対して近接可能なように構成されていればよい。
【００５３】
また、図８（ａ），（ｂ）に示すように、プローブ７先端部であって光学系近傍の外周面に膨縮可能な環状のバルーン７８を設けてもよい。このバルーン７８は、プローブ７の基端部で図示しないエアポンプと連通されており、管腔Ｋへのプローブ７の挿入時には、図８（ａ）に示すように収縮した状態とされ、蛍光検出時には、図８（ｂ）に示すようにエアを吸入して膨張した状態とされる。これにより、蛍光検出時において、膨張したバルーン７８が管腔Ｋの内壁と接触してプローブ７の先端部が管腔Ｋの内壁の中心に固定されるため、観察対象部位の観察や蛍光検出をより確実に行うことができる。
【００５４】
また、上記実施形態では、レンズ７５１がプローブ７の側方を向いたときに、観察対象部位が撮像カメラ７５の撮像範囲内に含まれるものとしたが、観察対象部位が撮像カメラ７５の撮像範囲内に含まれなくともよい。このような場合であっても、レンズ７５１が向く方向と照射光の照射方向とのプローブ７の周方向での角度関係を把握しておけば、プローブ７を回動させることにより観察対象部位を適正に判別することができる。
【００５５】
また、レンズ７５１が向けられるプローブ７の側方とは、プローブ７の長手方向Ｘに厳密に直交する方向でなくともよく、管腔Ｋ内の観察対象部位を当該レンズ７５１の正面に捉えることが可能であれば、前方又は後方へ傾斜した方向であってもよい。
【００５６】
また、撮像カメラ７５の回動構造は、上記実施形態のものに限定されず、例えばマイクロアクチュエータ等を用いたものとしてもよい。
また、プローブ７は手動で管腔Ｋへ挿入することとしたが、リニアアクチュエータ等を用いて挿入することとしてもよい。
【符号の説明】
【００５７】
７      プローブ
７０    チューブ
７１    ユニットフレーム
７１１  透光部
７１２  撮像部
７１３  屈曲部
７３    集光レンズ（光学系）
７４    ミラー（光学系）
７５    撮像カメラ（撮像装置）
７５１  レンズ
７５２  回動軸
７６ａ  ワイヤ（他方のワイヤ）
７６ｂ  ワイヤ（一方のワイヤ）
７７    付勢部材
７８    バルーン（固定手段）
Ｋ      管腔
Ｘ      長手方向
【図１】
2012050487.tif 000003
【図２】
2012050487.tif 000004
【図３】
2012050487.tif 000005
【図４】
2012050487.tif 000006
【図５】
2012050487.tif 000007
【図６】
2012050487.tif 000008
【図７】
2012050487.tif 000009
【図８】
2012050487.tif 000010